(57)【要約】【解決手段】底部１を囲むように配設された側壁２、３が、底部に重なるように折り畳むことが可能な折り畳みコンテナーにおいて、所定の側壁２に形成されたカード配置領域Ａの上部に凹部Ｃを形成するとともに、前記カード配置領域に配設されたカード差し部材Ｈにより保持されたカードＫの上端ｋ２と凹部の上端との間に、手の指が挿入可能なような間隙を形成したものであ【効果】所定の側壁に形成されたカード配置領域の上部に凹部を形成するとともに、前記カード配置領域に配設されたカード差し部材により保持されたカードの上端と凹部の上端との間に、手の指が挿入可能なような間隙が形成されるように構成したので、カード差し部材からのカードの取り出しが容易になり、従って、カードの取り出し作業の作業性が向上する。【選択図】図７
2005186944.tif 000002
【特許請求の範囲】
【請求項１】
底部を囲むように配設された側壁が、底部に重なるように折り畳むことが可能な折り畳みコンテナーにおいて、所定の側壁に形成されたカード配置領域の上部に凹部を形成するとともに、前記カード配置領域に配設されたカード差し部材により保持されたカードの上端と凹部の上端との間に、手の指が挿入可能なような間隙が形成されていることを特徴とする折り畳みコンテナー。
【請求項２】
上記凹部を、側壁の板状部の面変化により形成することにより、前記板状部の内面に、張出部を形成したことを特徴とする請求項１に記載の折り畳みコンテナー。
【発明の詳細な説明】
【技術分野】
【０００１】
本発明は、底部を囲むように配設され、且つ、底部にヒンジ連結された側壁が、底部に重なるように折り畳むことが可能な折り畳みコンテナーに関するものである。
【背景技術】
【０００２】
従来、折り畳みコンテナーの側壁に、収納される物品名や個数や搬送先等の種々の情報が記載されたカードを保持するカード差し部材が取り付けられている折り畳みコンテナーが知られている。
【０００３】
底部と底部に重なるように折り畳むことが可能な側壁とから構成されて折り畳みコンテナーにおいては、一例として、特許文献１に開示されているように、カードを保持するカード差し部材は、側壁に配設されている。
【特許文献１】実用新案登録第３０７４８４１号公報
【発明の開示】
【発明が解決しようとする課題】
【０００４】
上述したように、折り畳みコンテナーにおいては、底部と側壁とが別体に形成されているために、底部と側壁が一体的に形成されている折り畳み不可能なコンテナーの側壁に比べて、カードが配置される側壁の高さが低く、従って、側壁に配置されるカードの大きさを大きくすることができず、そのために、側壁の強度を高めるために形成されているリブを省略し、側壁のカード配置面積を大きくすることが行われているが、側壁のリブを省略したために、側壁の強度や剛性が低下するという問題があった。
【０００５】
また、側壁に配置されるカードの全面が、側壁に当接しているために、カード差し部材からのカードの取り出しがし難いという問題があり、また、側壁に配置されるカードの一部が、側壁から浮き上がるように、側壁にリブ等の突起を形成することにより、カードの全面が、側壁に当接しないようにすることもできるが、側壁に突起を形成したために、カードが折り曲げられ、カードに記載された情報の自動読取機等による読み取りができなかったり、読み取りミスが発生するという問題があった。
【０００６】
本発明は、上述した従来の折り畳みコンテナーが有する課題を解決することになる。
【課題を解決するための手段】
【０００７】
本発明は、底部を囲むように配設された側壁が、底部に重なるように折り畳むことが可能な折り畳みコンテナーにおいて、第１には、所定の側壁に形成されたカード配置領域の上部に凹部を形成するとともに、前記カード配置領域に配設されたカード差し部材により保持されたカードの上端と凹部の上端との間に、手の指が挿入可能なような間隙が形成されるように構成したものであり、第２には、前記凹部を、側壁の板状部を面変化させることにより形成し、前記板状部の内面に、張出部を形成したものである。
【発明の効果】
【０００８】
底部を囲むように配設された側壁が、底部に重なるように折り畳むことが可能な折り畳みコンテナーにおいて、所定の側壁に形成されたカード配置領域の上部に凹部を形成するとともに、前記カード配置領域に配設されたカード差し部材により保持されたカードの上端と凹部の上端との間に、手の指が挿入可能なような間隙が形成されるように構成したので、カード差し部材からのカードの取り出しが容易になり、従って、カードの取り出し作業の作業性が向上する。
【０００９】
上述した凹部を、側壁の板状部を面変化させることにより形成し、前記板状部の内面に、張出部を形成したので、側壁のリブを省略したための側壁の強度や剛性の低下を防止することができる。
【実施例】
【００１０】
以下に、本発明の実施例について説明するが、本発明の趣旨を越えない限り、何ら、本実施例に限定されるものではない。
【００１１】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図 1に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトな状態に折り畳むことができるように構成されている。また、図３に示されている折り畳まれた状態から、先ず最初に、長側壁２を略垂直に立て、次いで、短側壁３を略垂直に立てることにより、図１に示されているように、箱型に組み立てることができるように構成されている。
【００１２】
長側壁２は、横長で平坦な略長方形状の板状部２ａを有しており、長側壁２の両垂直端には、板状部２ａに略垂直に、且つ、長側壁２の内壁面方向に延在する、縦長の係合枠２ｂが形成されており、係合枠２ｂには、上下方向に所定の間隔で、嵌合孔２ｂ１が、適当数、形成されている。
【００１３】
長側壁２の板状部２ａの上部両端角部付近には、それぞれ、コの字状のスリット２ｃが形成されており、コの字状のスリット２ｃを形成することにより、スリット２ｃで囲まれた部分が、水平方向に延在する片持ち状の係止弾性片２ｄが形成されている。係止弾性片２ｄの内面側の先端部（係合枠２ｂ側に位置する。）には、長側壁２の内面（折り畳みコンテナーを箱型に組み立てた際に、内側に位置する面）２ａ１から、所定量、突出した係止突部２ｄ１が突設されており、係止突部２ｄ１の係合枠２ｂ側は、係合枠２ｂと略平行な面に形成されている。
【００１４】
長側壁２の板状部２ａの上端縁には、板状部２ａに略垂直で、且つ、外側に延在する上端水平フランジ２ｅが形成されており、また、板状部２ａの下端縁には、同じく板状部２ａに略垂直で、且つ、外側に延在する下端水平フランジ２ｆが形成されており、更に、板状部２ａの外面（折り畳みコンテナーを箱型に組み立てた際に、外側に位置する面）２ａ２には、適当数の垂直リブ２ｇや水平リブ２ｈが形成されている。
【００１５】
短側壁３は、横長で平坦な略長方形状の板状部３ａを有しており、板状部３ａの上下端には、板状部３ａに略垂直で、且つ、外側に延在する上端水平フランジ３ｂ及び下端水平フランジ３ｃが、それぞれ形成されており、また、板状部３ａの左右端には、板状部３ａに略垂直で、且つ、外側に延在する端部垂直フランジ３ｄが、それぞれ形成されている。端部垂直フランジ３ｄの外側には、縦長の延長枠３ｅが形成されており、延長枠３ｅには、適当数の嵌合突部３ｅ１が形成されている。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）３ａ１には、適当数の垂直リブ３ｆや水平リブ３ｇが形成されている。
【００１６】
折り畳みコンテナーを、図３に示されている折り畳まれた状態から、図１に示されているように、箱型に組み立てるには、先ず最初に、略水平状態の長側壁２を、垂直方向に回動させて、図２に示されているように、略垂直に立てる。次いで、底部１に重なるように折り畳まれている短側壁３を、略水平状態から垂直方向に回動させると、短側壁３の延長枠３ｅが、長側壁２に形成された係合枠２ｂに対向するように接近し、更に、短側壁３を、垂直方向に回動させると、短側壁３の延長枠３ｅの端部垂直面が、長側壁２に形成された係止弾性片２ｄの係止突部２ｄ１を押して、係止弾性片２ｄを、係止弾性片２ｄの弾性に抗して外側に湾曲させる。更に、短側壁３を、垂直方向に回動させると、短側壁３の延長枠３ｅに突設された嵌合突部３ｅ１が、長側壁２の係合枠２ｂに穿設された嵌合孔２ｂ１に挿入される。この短側壁３の延長枠３ｅに突設された嵌合突部３ｅ１が、長側壁２の係合枠２ｂに穿設された嵌合孔２ｂ１に挿入される過程において、短側壁３の延長枠３ｅから、長側壁２に形成された係止弾性片２ｄが外れて、係止弾性片２ｄが、その弾性により、元の位置に戻り、係止弾性片２ｄの垂直面が、短側壁３の延長枠３ｅに背面に当接或いは接近して位置し、従って、短側壁３の底部１方向への回動が阻止されるように構成されている。
【００１７】
箱型に組み立てられた折り畳みコンテナーを折り畳むには、長側壁２に形成された係止弾性片２ｄを、その弾性に抗して、外側に湾曲させて、係止弾性片２ｄの係止突部２ｄ１を、短側壁３の延長枠３ｅから外す。その後、短側壁３を、上述したように、底部１方向に倒して底部１に重ねる。次いで、長側壁２を、底部１方向に倒して、底部１に重ねられている短側壁３の上に重ねることにより、箱型に組み立てられた折り畳みコンテナーを折り畳むように構成されている。
【００１８】
長側壁２の板状部２ａの外面２ａ２に形成された垂直リブ２ｇのうち、相対する一対の垂直リブ２ｇ１と下端水平フランジ２ｆと上端水平フランジ２ｅの直下に位置する水平リブ２ｈ１とにより囲まれた領域Ａが、後述するカード差し部材に挿着されるカードが配置されるカード配置領域Ａである。図１には、長側壁２の中央部に、カード配置領域Ａが形成されているが、このような中央領域に限らず、長側壁２の所望の位置に形成することができる。
【００１９】
カード配置領域Ａの上部には、長側壁２の板状部２ａを、外側から内側に向かって膨出させるこにより形成された凹部Ｃが形成されている。本実施例においては、カード配置領域Ａの略上半分に、且つ、相対する一対の垂直リブ２ｇ１の全幅に亘たって、凹部Ｃが形成されている。そして、凹部Ｃは、凹部Ｃの水平な下端ｃ１から凹部Ｃの水平な上端を規制する水平リブ２ｈ１に向かって、徐々に深くなるように、凹部Ｃを形成する背板ｃ２は傾斜して形成されている。従って、板状部２ａに垂直な凹部Ｃの側断面形状は、逆三角形状に形成されている。
【００２０】
上述したように、カード配置領域Ａの上部に、長側壁２の板状部２ａを、外側から内側に向かって膨出させて、板状部２ａを面変化させることにより凹部Ｃを形成したことにより、長側壁２の板状部２ａの内面２ａ１には、張出部Ｖが形成されており、長側壁２の板状部２ａの面変化により、張出部Ｖを形成することにより、長側壁２の強度や剛性が向上し、ひいては、箱型に組み立てられた折り畳みコンテナーの強度や剛性が向上する。
【００２１】
また、カード配置領域Ａに形成された凹部Ｃ内には、凹部Ｃの水平な下端ｃ１から凹部Ｃの水平な上端を規制する水平リブ２ｈ１に向かって、水平リブ２ｈ１に対して略垂直に延在する凹部内補強リブｃ３が、適当数、形成されている。このような凹部内補強リブｃ３を形成することにより、カード配置領域Ａ内に位置する板状部２ａの強度や剛性が向上し、ひいては、長側壁２の強度や剛性が向上する。
【００２２】
次に、カード配置領域Ａに配設されるカード差し部材Ｈの一例について説明する。
【００２３】
カード差し部材Ｈは、細長い板状の基部ｈ１と、基部ｈ１にその下端部が連結された相対する一対の略垂直な立設部ｈ２と、立設部ｈ２の上端部を連結する略水平な保持部ｈ３とから形成されており、本実施例においては、立設部ｈ２及び保持部ｈ３は、共に、細長い板状に形成されている。このような構成を有するカード差し部材Ｈは、合成樹脂で一体に成形されている。
【００２４】
カード差し部材Ｈは、基部ｈ１を、カード配置領域Ａ内に位置する下端水平フランジ２ｆに、適当な固着手段により取着することにより、カード配置領域Ａ内に配置されている。本実施例においては、相対する一対の垂直リブ２ｇ１の下端部に形成された水平突起４と下端水平フランジ２ｆとの間に形成された間隙に、カード差し部材Ｈの基部ｈ１の両端部を嵌入することにより、カード差し部材Ｈをカード配置領域Ａ内に位置する下端水平フランジ２ｆに取着した例が示されているが、カード差し部材Ｈの基部ｈ１を、接着剤を使用して、下端水平フランジ２ｆに取着することも、ネジやボルト等の適当な固着具を使用して、カード差し部材Ｈの基部ｈ１を、下端水平フランジ２ｆに取着することもできる。
【００２５】
上述したように、カード差し部材Ｈを、カード配置領域Ａ内に位置する下端水平フランジ２ｆに取着した際には、カード差し部材の立設部ｈ２と長側壁２の板状部２ａとの間には、カードＫが挿入可能な所定の間隙が形成されるように構成されており、また、カード差し部材Ｈの保持部ｈ３は、凹部Ｃの直下に位置する長側壁２の板状部２ａに当接するように構成されている。また、本実施例においては、カード差し部材Ｈの保持部ｈ３の上部半分を、水平な屈曲部ｈ３ａを境に、長側壁２の板状部２ａから徐々に遠ざかるように折り曲げることにより、傾斜部ｈ３ｂが形成されている。そして、保持部ｈ３の屈曲部ｈ３ａは、凹部Ｃの直下に位置する長側壁２の板状部２ａに当接するように構成されており、また、上部半分に形成された傾斜部ｈ３ｂと長側壁２の板状部２ａと間には、逆三角形状の楔状空間５が形成されている。
【００２６】
カードＫの下端部を、上部半分に形成された傾斜部ｈ３ｂと長側壁２の板状部２ａと間に形成された逆三角形状の楔状空間５に挿入した後、カードＫの下端部が、カード差し部材Ｈの基部ｈ１に当接するまで下降させる。カードＫの下端ｋ１が、カード差し部材Ｈの基部ｈ１に当接した際には、カードＫの上端ｋ２は、凹部Ｃの下端ｃ１を越えて上方に位置するとともに、カードＫの上端ｋ２と凹部Ｃの上端を規制する水平リブ２ｈ１との間には、手の指が挿入可能なような間隙が形成されるように構成されており、更に、カードＫは、保持部ｈ３の屈曲部ｈ３ａと長側壁２の板状部２ａとにより挟持されるように構成されている。また、このようにして、カード差し部材Ｈに保持されているカードＫの凹部Ｃの下端ｃ１を越えて上方に位置する上端部と、凹部Ｃを形成する背板ｃ２との間には、間隙が形成されることになる。
【００２７】
また、凹部Ｃの上端を規制する水平リブ２ｈ１は、長側壁２の板状部２ａの外面２ａ２を越えて、垂直リブ２ｇ１の先端方向に延在している。従って、カード差し部材Ｈに保持されているカードＫが、上方に移動した際には、カードＫの上端ｋ２が、凹部Ｃの上端を規制する水平リブ２ｈ１に当接し、それ以上の上方への移動が阻止されるように構成されている。
【００２８】
カード差し部材Ｈに保持されているカードＫを取り出す際には、カードＫの上端ｋ２と凹部Ｃの上端を規制する水平リブ２ｈ１との間に形成されている間隙から凹部Ｃに指を入れて、凹部Ｃに挿入された指と他の指とでカードＫの上端部を摘まみ、カードＫを上方に引き上げることにより、カードＫを、カード差し部材Ｈから取り出すことができるように構成されている。
【００２９】
上述したように、カード配置領域Ａの上部に凹部Ｃを形成するとともに、カードＫの上端ｋ２と凹部Ｃの上端との間に、手の指が挿入可能なような間隙を形成するように構成したので、カード差し部材ＨからのカードＫの取り出しが容易になり、従って、カードＫの取り出し作業の作業性が向上する。
【００３０】
凹部Ｃを、長側壁２の板状部２ａを面変化させることにより形成し、前記板状部２ａの内面２ａ１に、張出部Ｖを形成したので、長側壁２の垂直リブ２ｇや水平リブ２ｈを省略したための長側壁２の強度や剛性の低下を防止することができる。
【００３１】
カードＫの上端部を、凹部Ｃの直下において、保持部ｈ３の屈曲部ｈ３ａと長側壁２の板状部２ａとにより挟持するように構成されているので、カードＫの大部分を、平坦な長側壁２の板状部２ａに押し付けることができ、カード差し部材Ｈに保持されているカードＫが曲がるようなことを防止することができる。従って、カードＫに記載された情報を、確実に読み取ることができる。
【００３２】
上述した実施例には、長側壁２に凹部Ｃを形成するとともに、カード差し部材Ｈを配設した例が示されているが、短側壁３に凹部Ｃを形成するとともに、カード差し部材Ｈを配設することもできる。
【００３３】
なお、上述した実施例には、カード配置領域Ａの上部に形成された凹部Ｃの板状部２ａに垂直な側断面形状が、逆三角形状に形成されている例が示されているが、側断面形状をコの字状等の種々の側断面形状に形成することもできる。側断面形状を逆三角形状に形成し、背板ｃ２を傾斜させることにより、箱型に組み立てられた折り畳みコンテナーに収納された物品を取り出す際に、長側壁２の板状部２ａの内面２ａ１から突出している張出部Ｖに、物品が引っ掛かるようなことを防止することができる。
【図面の簡単な説明】
【００３４】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナー及びカード差し部材の部分分解斜視図である。
【図５】図５は、カード差し部材が配設された本発明の折り畳みコンテナーの長側壁側から見た部分正面図である。
【図６】図６は、短側壁に沿った長側壁の垂直断面図である。
【図７】図７は、カードが挿着された状態の短側壁に沿った長側壁の垂直断面図である。
【符号の説明】
【００３５】
Ａ・・・・・・・・・・・・・・カード配置領域
Ｃ・・・・・・・・・・・・・・凹部
Ｈ・・・・・・・・・・・・・・カード差し部材
Ｋ・・・・・・・・・・・・・・カード
１・・・・・・・・・・・・・・底部
２・・・・・・・・・・・・・・長側壁
３・・・・・・・・・・・・・・短側壁
【図１】
2005186944.tif 000003
【図２】
2005186944.tif 000004
【図３】
2005186944.tif 000005
【図４】
2005186944.tif 000006
【図５】
2005186944.tif 000007
【図６】
2005186944.tif 000008
【図７】
2005186944.tif 000009